(57)【特許請求の範囲】
【請求項１】
容器体ＡにノズルＢを液密に嵌着させた洗眼容器であって、前記容器体Ａは、圧搾可能な胴部２より口頸部３を起立した保形性のある外層４と、口頸部３内に上端を開口して外層４内に収納するとともに、液を充填する可撓性の内層５とからなり、前記ノズルＢは、口頸部３外周に液密に嵌合させた装着筒13の上端より内方へ透孔14付きの頂板15を延設するとともに、頂板15上面周縁部より支持筒16を立設した装着筒部材９と、支持筒16内下部に嵌着させた周壁19下端縁より透孔14と連通させた弁孔20を有する底壁21を延設し、且つ、弁孔20周縁の底壁21上面に弁座22を突設した弁座部材10と、弁座部材周壁19内周に嵌着させた嵌合筒23内周面より周方向複数突設した弾性連結片24を介して弁板25を延設するとともに、該弁板25により開閉可能に弁座22を閉塞させて吐出弁８を構成する弁部材11と、支持筒16内周上部に下部を密嵌させて上方へ立設するとともに、上部の噴出口７を弁板25上方に連絡した噴出口部材12とを備えていることを特徴とする洗眼容器。
【請求項２】
上記容器体Ａが、外層４内面に内層５を剥離可能に積層したデラミボトルで構成したことを特徴とする請求項１記載の洗眼容器。
【請求項３】
上記噴出口７がノズルＢ上部に於いて側方を向いて開口するとともに、上記ノズルＢの噴出口７側外方下部に処理液溜29を設けてなることを特徴とする請求項１記載の洗眼容器。
【発明の詳細な説明】
【０００１】
【発明の属する技術分野】
本発明は洗眼容器に関する。
【０００２】
【従来の技術】
従来、通常形態のコップ状容器に洗眼液を注出し、その開口縁を眼球周囲の顔面に当接して洗眼を行うことが一般に行なわれている。
【０００３】
【発明が解決しようとする課題】
上記した従来の方法では、洗眼液を収納容器からコップ状容器に移し替えなければならないという面倒があり、また、収納容器内の洗眼液の減少に伴って外気が収納容器内に入り込み、空気中の雑菌で収納液が汚染される虞がある。
【０００４】
本発明は上記した点に鑑みなされたもので、極めて簡単な操作で洗眼を行えて使い勝手が良く、しかも、収納液が外気と接触することを極力避けることができて収納液の雑菌による汚染を防止できる洗眼容器を提案するものである。また、組み立てが簡単で、安価に製造できる利点を兼ね備えた洗眼容器を提案するものである。更に、収納液の量を極力多くでき、製造も簡単な容器体を備えた洗眼容器を提案する。
【０００５】
【課題を解決するための手段】
第１の手段として、以下の通り構成した。即ち、容器体ＡにノズルＢを液密に嵌着させた洗眼容器であって、前記容器体Ａは、圧搾可能な胴部２より口頸部３を起立した保形性のある外層４と、口頸部３内に上端を開口して外層４内に収納するとともに、液を充填する可撓性の内層５とからなり、前記ノズルＢは、口頸部３外周に液密に嵌合させた装着筒13の上端より内方へ透孔14付きの頂板15を延設するとともに、頂板15上面周縁部より支持筒16を立設した装着筒部材９と、支持筒16内下部に嵌着させた周壁19下端縁より透孔14と連通させた弁孔20を有する底壁21を延設し、且つ、弁孔20周縁の底壁21上面に弁座22を突設した弁座部材10と、弁座部材周壁19内周に嵌着させた嵌合筒23内周面より周方向複数突設した弾性連結片24を介して弁板25を延設するとともに、該弁板25により開閉可能に弁座22を閉塞させて吐出弁８を構成する弁部材11と、支持筒16内周上部に下部を密嵌させて上方へ立設するとともに、上部の噴出口７を弁板25上方に連絡した噴出口部材12とを備えている。
【０００６】
第２の手段として、以下の通り構成した。即ち、前記第１の手段に於いて、上記容器体Ａが、外層４内面に内層５を剥離可能に積層したデラミボトルである如く構成した。
【０００８】
第３の手段として、以下の通り構成した。即ち、前記第１の手段に於いて、上記噴出口７がノズルＢ上部に於いて側方を向いて開口するとともに、上記ノズルＢの噴出口７側外方下部に処理液溜29を設けて構成した。
【０００９】
【発明の実施の形態】
以下、本発明の実施の形態を図面を参照して説明する。
【００１０】
図面に示す如く、本発明の洗眼容器１は、容器体Ａと、ノズルＢとを備えている。
【００１１】
容器体Ａは合成樹脂等により形成されたもので、圧搾可能な胴部２より口頸部３を起立した保形性のある外層４と、前記口頸部３内に上端を開口して外層４内に収納するとともに、液を充填する可撓性の内層５とから構成している。
【００１２】
容器体Ａを構成する内層５は、図示例の如く、外層４の内面に剥離可能に積層した所謂デラミボトルタイプものであっても、或いは図示しないが、外層４内に単に収納したものであっても良い。また、外層４には内層５内の液の減少に伴い内外層間に生じる隙間に外気を導入するための外気導入孔６を設けると良い。この外気導入孔６は、図示例の如く、口頸部３部分に設けても、その他の部分に設けても良く、必要に応じて適宜の場所，大きさ等を選択すれば良い。
【００１３】
ノズルＢは、上部に噴出口７を備えるとともに、該噴出口７と内層５内とを連絡する液流路ａに吐出弁８を備えている。噴出口７は図示例の如く側方を向くものであっても、図示しないが、上端面に開口するものであっても良い。吐出弁８は種々の形態が採用でき、図示例の如く、所定液圧で開弁し、また、所定圧まで減圧した際に自動的に閉弁するものや、図示しないが、所定液圧で開弁し、自重で閉弁する開閉弁タイプのものが採用でき、これらに限らない。
【００１４】
以下、図示例について詳細に説明する。図示例では、ノズルＢを、装着筒部材９と、弁座部材10と、弁部材11と、噴出口部材12とから構成しており、これらの部材を組み立てることにより形成している。
【００１５】
装着筒部材９は合成樹脂等により形成されたもので、口頸部３外周に液密に嵌合させた装着筒13の上端より内方へ透孔14付きの頂板15を延設するとともに、頂板15上面周縁部より支持筒16を立設している。支持筒16の外周には、キャップ17を螺着させるための螺条を周設している。そして、口頸部３上面にリング状のパッキン18を介在させて液密性を付与し、容器体Ａに着脱可能に装着している。液密性の付与は上記パッキンに限らず、頂板15下面より垂設したシール筒を容器体の口頸部３部分内面に密嵌させても良い。
【００１６】
弁座部材10も合成樹脂等により形成されたもので、支持筒16内下部に嵌着させた周壁19下端縁より透孔14と連通させた弁孔20を有する底壁21を延設し、また、弁孔20周縁の底壁21上面に弁座22を突設している。
【００１７】
弁部材11はエラストマー等の柔軟で弾力性に富む材質により形成されたもので、弁座部材10の周壁19内周に嵌着させた嵌合筒23の内周面より周方向複数突設した弾性連結片24を介して弁板25を延設するとともに、該弁板により開閉可能に弁座22を閉塞させて吐出弁８を構成している。従って、該吐出弁は、所定の液圧で各弾性連結片24の弾発力に抗して開弁し、所定液圧より下がると弾性連結片24の弾性復元力により自動的に閉弁する如く構成している。この様な弁部材を使用すれば、吐出弁８の弁板25が液噴出後即座に閉じることができるので、噴出口７に於ける液切れが良くなる。尚、弁部材11としては図示例のものに限らず、弁座22の開口を開閉可能に閉塞する弁板を備えるとともに、弁座部材10内に嵌着させたものであれば採用できる。
【００１８】
噴出口部材12は合成樹脂等により形成されたもので、支持筒16内周上部に下部を密嵌させて上方へ立設するとともに、下端を弁板25上方に開口した上端閉塞の柱状空間26上部より側方噴出口７に至る噴出路27を穿設している。従って、図示例に於ける液流路ａは、透孔14から弁孔20を通り、この柱状空間26を介して噴出路27に至る部分で構成される。また、噴出口部材12は外周所定位置に突設したフランジ28を支持筒16上面に当接係止させて嵌入幅を一定に保っており、下端部を小径化して嵌合筒23内まで垂下させている。噴出路27は、図示例の如くやや斜め上方に傾けても水平方向に設けても良く、また、図示例の如く単なる通路に構成して棒状に液を噴出する如く構成しても、或いは、噴出路内に公知の噴霧装置を装着して噴霧可能に構成しても良い。尚、噴出口部材12として、図示例のものに限らず、支持筒16内周上部に下部を密嵌させて上方へ立設するとともに、上部の噴出口７を弁板25上方に連絡した形態のものであれば使用できる。
【００１９】
上記の如く構成した洗眼容器１を使用する場合には、例えば、キャップ17を外した状態で噴出口７を眼球の前方に位置させ容器体Ａの外層４の胴部２を圧搾すれば、収納液は加圧されて吐出弁８を開き液流路ａを介して噴出口７より噴出して洗眼する。胴部２の圧搾を解除すると、吐出弁８が閉じ、外層４の弾性復元力により生じる内層５との隙間に外気導入孔６より外気が導入され、内層５は縮んだままの状態を維持する。
【００２０】
図２は他の実施形態を示すもので、上記ノズルＢの噴出口７側外方下部に処理液溜29を設けている。この処理液溜29は、噴出した洗眼液をためておくカップ状のもので、図示例の如く、ノズルＢと一体に構成することも別体に形成することも可能である。この処理液溜29を設けることにより、噴出した液がそこに溜まり、辺りを汚すことがない様に構成している。
【００２１】
図示例の処理液溜29は装着筒部材９と一体に形成したもので、噴出口７側の周壁13下端縁より底壁を延設し、この底壁周縁部より一部を周壁13の一部と共用し且つ周壁13側に行くに従って傾斜下降する周壁を立設して構成している。
【００２２】
【発明の効果】
以上説明した如く本発明の洗眼容器は、簡単な操作で洗眼を行えるものであり、しかも液の減少に伴い内層５が収縮するため、外気と収納液との接触を極力避けることができ、空気中の雑菌による液の汚染を防止できるものである。また、組み立てが容易に行えるものである。
【００２３】
また、第２の手段の洗眼容器は、当初内層５が外層４と隙間無く積層しているため、液を収納する収納空間を効率よく活用できる利点を兼ね備えている。
【００２５】
また、第３の手段の洗眼容器は、洗眼を流し場や風呂場或いは屋外等の水を流して構わない場所で行わなくても周囲を汚すことがなく行える便利がある。
【図面の簡単な説明】
【図１】本発明の一実施形態を示す要部断面図である。
【図２】本発明の他の実施形態を示す要部縦断面図である。
【符号の説明】
２…胴部，３…口頸部，４…外層，５…内層，７…噴出口，８…吐出弁，
９…装着筒部材，10…弁座部材，11…弁部材，12…噴出口部材，13…装着筒，
14…透孔，15…頂板，16…支持筒，19…周壁，20…弁孔，21…底壁，
22…弁座，23…嵌合筒，24…弾性連結片，25…弁板，26…柱状空間，
27…噴出路，29…処理液溜，Ａ…容器体，Ｂ…ノズル，ａ…液流路
【図１】
0004203935.tif 000002
【図２】
0004203935.tif 000003